(57)【要約】【課題】転動体の間欠的な繰り出しを円滑、確実に行うことができ、１回の繰出し操作で放出される放出数の規制を簡単な機構で行い、また放出数の調整を簡単容易に行える転動体繰出し機構を工夫すること。【解決手段】先端が閉じられた回転筒体５の先端周面に放出口７を設け、上記放出口７の上流側端に低い堰８を設け、上記回転筒体５を回転させる駆動装置４を設け、放出指令３に応じて当該駆動装置４によって回転筒体５を１回転させるようになっており、上記放出口７の長さが、１回の放出動作で放出される転動体Ｂの数を規定する長さに設定された転動体繰出し装置。【選択図】図  ２
2005211587.tif 000002
【特許請求の範囲】
【請求項１】
先端が閉じられた回転筒体の先端周面に放出口を設け、
上記放出口の上流側端に低い堰を設け、
上記回転筒体を回転させる駆動装置を設け、放出指令に応じて当該駆動装置によって回転筒体を１回転させるようになっており、
上記放出口の長さが、１回の放出動作で放出される転動体の数を規定する長さに設定されている転動体繰出し装置。
【請求項２】
上記回転筒体が円筒体である請求項１の転動体繰出し装置。
【請求項３】
上記回転筒体が四角筒体である請求項１の転動体繰出し装置。
【請求項４】
上記堰の位置が転動体の流れ方向に調整自在であり、この堰の移動によって上記放出口の長さが調整される請求項１の転動体繰出し装置。
【発明の詳細な説明】
【技術分野】
【０００１】
この発明は、ボールやコロなどの転動体を１個、２個、３個等の所定数づつ間欠的に繰り返し繰り出す転動体繰出し装置に関するものであり、上記転動体がひっ掛かることなしに円滑、確実に繰り出すことができるものである。
【背景技術】
【０００２】
ボールやコロなどの転動体を重力を利用して自然に転動させながら、適宜の所定数づつ間欠的に繰り出す繰出し装置が、各種機械装置、遊技機などに適用されており、その一例として練習用ゴルフボール供給装置がある。これは、人手による繰出し指令に応じ、あるいは自動的にゴルフボールを１個づつ繰り出すものであり、その一例が特開昭６１−２５９６８４号公報に記載されている。
上記従来のボール繰出し装置は、傾斜した樋を流れるゴルフボールをストッパで制止し、ストッパを開くことによって１個づつ放出するものである。このものはストッパの開閉によってゴルフボールの放出を制御するものであるから、転動体がストッパに噛んでしまうなどのためにストッパの開閉不良を生じることがある。
また、ストッパによる転動体繰出し装置において１回の放出動作で放出される転動体数を２以上にするにはストッパの手前に規制手段を設け、この規制手段によって次に放出される転動体数を規定しておく必要があり、また、放出数を調整するにはこの規制手段を調整することが必要であり、その機構が極めて複雑である。
【特許文献１】特開昭６１−２５９６８４号公報
【発明の開示】
【発明が解決しようとする課題】
【０００３】
そこで、この発明は、転動体の間欠的な繰り出しを円滑、確実に行うことができ、１回の繰出し操作で放出される放出数の規制を簡単な機構で行い、また放出数の調整を簡単容易に行える転動体繰出し機構を工夫することである。
【課題を解決するための手段】
【０００４】
上記課題解決のための手段は、次の（イ）〜（ニ）によるものである。
（イ）先端が閉じられた回転筒体の先端周面に放出口を設けたこと、
（ロ）上記放出口の上流側端に低い堰を設けたこと、
（ハ）上記回転筒体を回転させる駆動装置を設け、放出指令に応じて当該駆動装置によって回転筒体を１回転させるようにしたこと、
（ニ）上記放出口の長さが、１回の放出動作で放出される転動体の数を規定する長さに設定されていること。
【０００５】
〔実施態様１〕
実施態様１は、上記回転筒体が円筒体であることである。
〔実施態様２〕
実施態様２は、上記回転筒体が四角筒体であることである。
〔実施態様３〕
実施態様３は、上記堰の位置が転動体の流れ方向に調整自在であり、この堰の移動による上記放出口の長さが調整されることである。
【発明の効果】
【０００６】
〔解決手段の作用・効果〕
回転筒体はその放出口を上方にした状態で停止している。このとき、上記堰は上方に位置しているので、転動体は当該堰の下を通過して回転筒体の先端部に移動し、上記放出口の下方に所定数の転動体が蓄積され、次の放出に備えられる。  放出指令によって回転筒体が１回ゆっくりと回転する。この回転により放出口が下方に移動し、下向きになったとき、回転筒体の先端部に蓄積された転動体が放出口から放出される。このとき、上記堰は下方位置にあるので、堰よりも後方の転動体は当該堰によって規制され、放出口から放出されない。回転筒体の先端部に保留された転動体の数が１個であれば１個放出され、２個であれば２個放出される。放出後も回転筒体はさらに回転して放出口が上方位置へ移動する。堰が上方位置に移動すると、転動体が堰の下方を通過して先端部に移動する。このとき、放出部も上方位置に移動しているので、後続の転動体は放出部から放出されることなく、回転筒体の先端部に蓄積される。
堰の位置が転動体の流れ方向に調整できる場合は、放出口の長さを変更することで、１回の放出動作で２個以上の転動体が放出されることになる。
【０００７】
〔実施態様１の作用・効果〕
回転筒体が円筒体であるから、放出する転動体が球状体であるとき、回転筒体が回転するにつれて転動体が回転筒体内面を円周方向にも転動しながら長手方向に転動するので、堰による規制、堰の乗り越えがスムーズになされる。
〔実施態様２の作用・効果〕
回転筒体が四角筒体であるから、放出する転動体がコロであるとき、回転筒体の内側面によってコロの端部が案内されるので回転筒体が回転しても転動体の向きは一定に保持され、斜行することなしに長手方向に円滑に転動し、堰による放出規制、堰の乗り越えがスムーズになされる。
【０００８】
〔実施態様３の作用・効果〕
堰の回転筒体長手方向位置が調整され、この堰の位置の調整によって放出口の長さが調整されるので、１度に放出される転動体の数の調整を簡単容易に行うことができる。
なお、上記転動体にはコロと同形状の缶ジュース等の缶も含まれる。
【発明を実施するための最良の形態】
【０００９】
次いで、練習用ゴルフボール供給装置にこの発明を適用した例を説明する。
【実施例１】
【００１０】
この実施例１はホッパーＨにゴルフボールが投入されており、ペダル１を押してスイッチ２をＯＮさせる度に、コントローラ３によって制御されてモータ４が回転し、回転筒体５のギヤ６を駆動して回転筒体５を１回転させ、これによりゴルフボールＢを１個放出するものである。
回転筒体５は円筒体であり、その端面は塞がれており、先端上部に四角な開口（「放出口」ともいう）７が設けられている。この四角な開口７はゴルフボール１個が通過できる大きさの孔であり、当該開口７の上流側端の位置に堰板（「堰」ともいう）８がある。堰板８の高さは回転筒体の半径よりも小さく、その先端ｅと回転筒体５の内面との間をゴルフボールＢが通過することができる。
四角な開口７の幅ＷはゴルフボールＢの直径よりも十分大きく、長さＬはゴルフボールＢの直径よりも若干大きい。
回転筒体５は先端が下がって斜めになっており、支持ローラ９，９によって２点で回転自在に支持されている。回転筒体５の中央外周に規制リング１０があり、この規制リング１０がガイド部材１１によってガイドされており、これにより回転筒体５はその長手方向移動が規制され、傾斜した状態で一定の位置で回転することができる。
【実施例２】
【００１１】
実施例１の回転筒体をその開口７の長さがボール２個分のものに交換することで、一度に２個放出することができる。この場合は、放出個数は一定であるが、開口７の長さを可変にしたものが実施例２である。
実施例２は図５に示すものであり、堰板（「堰」ともいう）８０を左右（転動体の流れ方向）に摺動自在にするとともに堰板８０に開口部７０の一部を塞ぐシャッター部８１を設けているものである。
回転筒体５０に例えばボール３個分の長さの開口部７０が設けてあり、堰板８０を左右に移動させてその開口７１がボール１個分の長さのところまで調整すると、開口７１からボールが１個づつ放出され、図５のように開口７１の長さをボール２個分にすると、ボールが２個づつ放出される。
【図面の簡単な説明】
【００１２】
【図１】は実施例１の平面図である。
【図２】（ａ）は実施例１の側面図であり、（ｂ）は正面図である。
【図３】（ａ）は実施例１の非放出位置にある回転筒部の一部拡大斜視図であり、（ｂ）は図（ａ）のＸ−Ｘ断面図である。
【図４】（ａ）は実施例１の放出位置にある回転筒部の一部拡大斜視図であり、（ｂ）は図（ａ）のＹ−Ｙ断面図である。
【図５】は実施例２の要部断面図である。
【符号の説明】
【００１３】
１・・・ペダル
２・・・スイッチ
３・・・コントローラ
４・・・モータ
５，５０・・・回転筒体
６・・・ギヤ
７・・・開口（放出口）
８，８０・・・堰（堰板）
９・・・支持ローラ
１０・・・規制リング
１１・・・ガイド部材
７０・・・開口部
７１・・・開口
８１・・・シャッター部
Ｂ・・・転動体（ゴルフボール）
Ｈ・・・ホッパー
Ｗ・・・開口の幅
Ｌ・・・開口の長さ
【図１】
2005211587.tif 000003
【図２】
2005211587.tif 000004
【図３】
2005211587.tif 000005
【図４】
2005211587.tif 000006
【図５】
2005211587.tif 000007